(57)【要約】【課題】検査用ネジと、ネジ穴（又はネジ孔）との軸芯の振れやズレを解消する、ネジゲージの構造について提案する。【解決手段】検査用ネジ１５を、被検査物５０のネジ穴５１に挿入してネジの内径を検査するためのネジゲージ１０において、前記検査用ネジ１５に、全周にネジ３１が形成された全周ネジ部１３と、該全周ネジ部１３よりも先端側に配置され、該全周ネジ部１３の外周の一部を軸方向に連続して切り欠いて、前記ネジ穴５１の内径Ｄ２以下の径を有する略円柱形状に形成された部分ネジ部１２とを、設けた。前記全周ネジ部１３よりも後端側において、検査用ネジ１５をネジ穴５１に対して求心させるための求心機構を設けた。【選択図】図６
2007240204.tif 000002
【特許請求の範囲】
【請求項１】
検査用ネジを被検査物のネジ穴に挿入してネジの内径を検査するためのネジゲージにおいて、
前記検査用ネジは、
全周にネジが形成された全周ネジ部と
該全周ネジ部よりも先端側に配置され、前記全周ネジ部の外周の一部を軸方向に連続して切り欠いて、前記ネジ穴の内径以下の径を有する略円柱形状に形成された部分ネジ部とを、
有することを特徴とする、ネジゲージ。
【請求項２】
前記検査用ネジの前記全周ネジ部よりも後端側において、
検査用ネジをネジ穴に対して求心させるための求心機構を設けたことを特徴とする、
請求項１に記載のネジゲージ。
【請求項３】
前記求心機構は、
前記全周ネジ部の後端側に連続する軸部より、軸芯を中心として放射方向に進退可能であって、且つ、進出方向に付勢された複数の突起を、有することを特徴とする、
請求項２に記載のネジゲージ。
【請求項４】
前記求心機構は、
前記全周ネジ部の後端側に連続する軸部に嵌装されて軸方向に移動可能であるとともに先端側に引っ張り付勢され、外周にネジが形成されたスライダを、有することを特徴とする、
請求項２に記載のネジゲージ。
【発明の詳細な説明】
【技術分野】
【０００１】
本発明は、ナット等のネジの寸法精度を検査するために使用する、内径用のネジゲージに関する。
【背景技術】
【０００２】
従来から、ネジの寸法精度を管理し、ネジの互換性を確保するために、ネジゲージが用いられている。
このネジゲージのうち、限界ネジゲージは、「通りネジ」「止りネジ」の２つの異なるネジ径を持つネジによって、ネジ部品のあらかじめ定められた寸法精度の上限と下限で検査するものである。
【０００３】
上記のような、限界ネジゲージとして、例えば、特許文献１に示されるように、検査作業時のグリップとなるゲージ本体の両端に、通りネジと止りネジとをそれぞれ形成したものや、ゲージ本体の一側に、先端側から、通りネジと、止りネジとを連続して形成したもの等が知られている。
上述のように、通りネジと止りネジとを備える限界ネジゲージでは、先ず、通りネジが、ネジ孔を通ることを確認したのち、止りネジが、該ネジ孔を通らないこと確認して、ネジ孔の寸法精度を検査する。
【０００４】
また、特許文献２に示されるように、ネジ穴の径の寸法精度と、ネジ穴の深さの寸法精度とを検査する、ネジゲージが知られている。
このネジゲージでは、検査作業時のグリップとなるゲージ本体の一端に検査用ネジを備え、該検査用ネジの先端側を切り欠いて扇形状とすることによって外周の一部に雄ネジが形成された部分ネジ部と、これに連続する全周に雄ネジが形成された全周ネジ部とを形成し、前記部分ネジ部をネジ穴に挿入したのち、全周ネジ部を該ネジ穴に螺入することよって、検査作業におけるネジゲージの回転数の低減が実現されている。
【０００５】
上記のように、検査用ネジの先端側が切り欠かれたネジゲージでは、全周ネジ部の螺入長さによっては、螺入作業の際に、ネジゲージが振れることによって、検査用ネジとネジ穴との軸芯がずれて、ネジ穴の内周と検査用ネジの外周との間に間隙やズレが発生することが懸念される。検査用ネジとネジ穴との軸芯がずれた状態で、ネジ穴に検査用ネジをねじ込むことによって、ネジ穴が損傷したり、誤判定が生じたりという、検査精度の低下に繋がる虞がある。
【特許文献１】実開平２−９８０５号公報
【特許文献２】実開平２−１２９８０５号公報
【発明の開示】
【発明が解決しようとする課題】
【０００６】
そこで、本発明では、検査用ネジの先端側が切り欠かれたネジゲージにおいて、検査作業の作業性の向上を図り、また、検査用ネジと、ネジ穴（又はネジ孔）との軸芯の振れやズレを解消する、ネジゲージの構造について提案する。
【課題を解決するための手段】
【０００７】
本発明の解決しようとする課題は以上の如くであり、次にこの課題を解決するための手段を説明する。
【０００８】
即ち、請求項１においては、検査用ネジを被検査物のネジ穴に挿入してネジの内径を検査するためのネジゲージにおいて、前記検査用ネジは、全周にネジが形成された全周ネジ部と該全周ネジ部よりも先端側に配置され、前記全周ネジ部の外周の一部を軸方向に連続して切り欠いて、前記ネジ穴の内径以下の径を有する略円柱形状に形成された部分ネジ部とを、有するものである。
【０００９】
請求項２においては、前記検査用ネジの前記全周ネジ部よりも後端側において、検査用ネジをネジ穴に対して求心させるための求心機構を設けたものである。
【００１０】
請求項３においては、前記求心機構は、前記全周ネジ部の後端側に連続する軸部より、軸芯を中心として放射方向に進退可能であって、且つ、進出方向に付勢された複数の突起を、有するものである。
【００１１】
請求項４においては、前記求心機構は、前記全周ネジ部の後端側に連続する軸部に嵌装されて軸方向に移動可能であるとともに先端側に引っ張り付勢され、外周にネジが形成されたスライダを、有するものである。
【発明の効果】
【００１２】
本発明の効果として、以下に示すような効果を奏する。
【００１３】
本発明によれば、検査用ネジの先端部分が、ネジ穴で引っ掛かることなくスムースに挿入できるので、検査作業の作業性の向上を図ることができる。
また、ネジゲージの検査用ネジを被検査物のネジ穴（又はネジ孔）に挿入してネジ穴の寸法精度を検査するに際して、例え、検査用ネジのネジの外周とネジ穴の内周との間に幾分の間隙が存在したとしても、該検査用ネジがネジ穴に対して求心された状態で、検査用ネジの軸と略直交方向への移動が制限される。従って、検査用ネジとネジ穴との軸芯の振れが抑止され、ガタつきが解消されるので、検査精度の低下の抑制に寄与することができる。
【発明を実施するための最良の形態】
【００１４】
次に、発明の実施の形態を説明する。
図１は本発明の実施例１に係るネジゲージの全体的な構成を示した図、図２は図１における検査用ネジのＹ方向矢視図、図３は求心機構を説明する求心部の断面図、図４は接触子の位置関係を示す図３におけるＷ方向矢視図、図５は接触子の形状を説明する図、図６は求心機能を果たしている求心部の断面図、図７はネジゲージを用いた検査の流れを説明する図である。
図８は本発明の実施例２に係るネジゲージの全体的な構成を示した図、図９は求心部の拡大図、図１０は求心機能を果たしている求心部の拡大図である。
【実施例１】
【００１５】
次に、本発明の実施例１について説明する。
図１に示すように、ネジゲージ１０は、具備される検査用ネジ１５を被検査物５０のネジ穴５１に螺入してネジの内径（ネジ穴５１の寸法精度）を検査するためのものである。
前記ネジゲージ１０は、検査作業時に作業者が握って操作するグリップ１１と、該グリップ１１に一方の端部１５ａが挿入固定された検査用ネジ１５とで構成される。
なお、本実施例においては、前記被検査物５０に形成されているのは一端閉塞のネジ穴５１であるが、両端開放のネジ孔であってもかまわない。
【００１６】
前記検査用ネジ１５には、ネジ穴５１に先に挿入される一端側から軸方向に順番に、部分ネジ部１２、全周ネジ部１３、求心部１４が連続して一体的に形成されている。
以下、検査用ネジ１５の、ネジ穴５１に先に挿入される一端を『先端』、他端を『後端』と記載する。また、検査用ネジ１５の軸方向を『軸方向』、検査用ネジ１５の軸方向と略直交する方向を『軸と略直交方向』又は『軸の略直交方向』と記載する。
【００１７】
前記検査用ネジ１５の全周ネジ部１３は、全周にネジが形成されたものである。
また、前記検査用ネジ１５の部分ネジ部１２は、前記全周ネジ部１３よりも先端側に配置され、該全周ネジ部１３の外周の一部を軸方向に連続して切り欠いて、前記ネジ穴５１の内径Ｄ２以下の径を有する略円柱形状に形成されたものである。
【００１８】
前記部分ネジ部１２と全周ネジ部１３とは、外周にネジ（雄ネジ）が形成された棒ネジを基礎形状としている。そして、前記棒ネジの先端側において、該棒ネジの周囲を、ネジを軸方向に連続的に残して一部切り欠くことによって、部分ネジ部１２が形成される。また、前記部分ネジ部１２よりも後端側において、棒ネジの全周にネジが残されることによって、全周ネジ部１３が形成される。
上述の部分ネジ部１２と全周ネジ部１３とにおいて、外周に形成されたネジの、ピッチやリード、ネジの外径、ネジの谷の径等は略同一である。
【００１９】
図２にも示すように、前記部分ネジ部１２は、棒ネジの先端側を、軸と略直交方向の断面形状がネジ穴５１の内径Ｄ２の形状よりも小さい形状となるように、ネジを軸方向に連続的に残して一部切り欠くことによって形成されており、外周にネジ面２２と、無ネジ面２１とを有する。
【００２０】
本実施例においては、棒ネジの周囲を、軸と略直交方向の断面において略円弧状に切り欠いて、部分ネジ部１２が形成される。
従って、部分ネジ部１２の軸と略直交方向の断面形状は、ネジ面２２で形成される円弧と、無ネジ面２１で形成される円弧とを繋いだ略円形状であって、部分ネジ部１２はネジ穴５１の内径Ｄ２よりも小さい径Ｄ１を有する略円柱形状となる。
【００２１】
上記のように、部分ネジ部１２が略円柱形状であれば、後述するように、部分ネジ部１２をネジ穴５１に挿入する際に、引っかかりが無く、挿入が容易であるので好適である。
但し、上記部分ネジ部１２は、略円柱形状に限定されない。つまり、部分ネジ部１２は、外周に無ネジ面２１とネジ面２２とを有し、且つ、部分ネジ部１２の軸と略直交方向の断面形状が、ネジ穴５１の内径Ｄ２の形状よりも小さい丸みを帯びた形状であれば、いかなる形状とすることもできる。
例えば、上記部分ネジ部１２の軸と略直交方向の断面形状を、面取り略台形形状としたり、略楕円形状としたり、面取り略三角形状としたりすることができる。
【００２２】
前記求心部１４は前記全周ネジ部１３の後端側に設けられ、求心機構が備えられる。
前記『求心機構』は、ネジ穴５１に検査用ネジ１５が挿入されている状態で、検査用ネジ１５の外周とネジ穴５１の内周との間の振れやガタつきを解消して、ネジ穴５１の軸芯Ｏ’と検査用ネジ１５の軸芯Ｏとがズレないように、検査用ネジ１５の姿勢を整えるための機構である。
【００２３】
求心部１４は、全周ネジ部１３に連続する軸体４１と、該軸体４１より放射方向に進退可能な３つの接触子４２・４３・４４と、該接触子４２・４３・４４を検査用ネジ１５の軸芯Ｏを中心として放射方向に進退動させるための機構等で構成される。これらの求心部１４の構成要素により、求心機構が構成される。
【００２４】
図６にも示すように、検査用ネジ１５がネジ穴５１に螺入されていくうちに、ネジ穴５１のネジ山５１ｂ・５１ｂ間に接触子４２・４３・４４が嵌入し、且つ、ネジ谷５１ａを挟んで隣接するネジフランク５１ｃ・５１ｃの双方に当接するように、３つの接触子４２・４３・４４が配置される。
すなわち、３つの接触子４２・４３・４４は、部分ネジ部１２のネジ面２２のネジ山２２ａ間、及び、全周ネジ部１３のネジ３１のネジ山３１ａ間を通る、一本の蔓巻線Ｓ上で突出するように配置される。そして、被検査物５０のネジフランク５１ｃと接触する接触子４２・４３・４４の一方の端部４２ａ・４３ａ・４４ａは、ネジ谷５１ａを挟んで隣接するネジフランク５１ｃ・５１ｃの双方に接する曲率Ｒ（図５）を有する。
【００２５】
図３に示すように、求心部１４の軸体４１は、一端開放の筒体４８と、該筒体４８の開放端を閉塞する蓋体４９とで構成される。
前記筒体４８の内部には、固体潤滑剤が埋め込まれた軸受４６に回動可能且つ軸方向に移動可能に支承された押出体４５が設けられる。押出体４５は、周面が接触子４２・４３・４４と当接するテーパコーン部４５ａと、前記軸受４６に支承される軸部４５ｂとが一体的に形成される。テーパコーン部４５ａの尖端部と、筒体４８の奥部とが当接可能であり、また、軸部４５ｂと蓋体４９との間には、押出体４５を検査用ネジ１５の先端側へ付勢する付勢発条４７が設けられる。
【００２６】
前記筒体４８には、接触子４２・４３・４４が配置される位置に、該接触子４２・４３・４４を検査用ネジ１５（軸体４１）の軸芯Ｏを中心として放射方向に進退動可能に挿通する挿通孔４８ａ・４８ａ・４８ａが形成される。該挿通孔４８ａ・４８ａ・４８ａの孔の径は、接触子４２・４３・４４が落脱しない大きさとされる。
上述の通り、押出体４５のテーパコーン部４５ａは、検査用ネジ１５の先端側に付勢されるので、該テーパコーン部４５ａにて接触子４２・４３・４４は、検査用ネジ１５の軸芯Ｏを中心として放射方向に押圧され、該接触子４２・４３・４４は軸体４１より進出する方向に付勢されることとなる。
【００２７】
図１及び図４に示すように、軸体４１より突出する接触子４２・４３・４４の一方の端部４２ａ・４３ａ・４４ａは、該軸体４１の外周において一本の蔓巻線Ｓ上に配置され、該蔓巻線Ｓ上で、最も先端側において突出している接触子４２から角度θ１だけ軸芯Ｏを中心として回転した位置に接触子４３が突出し、該接触子４３から角度θ２だけ軸芯Ｏを中心として回転した位置に最も後端側の接触子４４が突出している。
本実施例においては、前記角度θ１、角度θ２ともに前記蔓巻線Ｓの一周の１／３である約１２０度であり、検査用ネジ１５の外周に３個の接触子４２・４３・４４が略均等に分配配置される。
【００２８】
また、図５に示すように、各接触子４２・４３・４４は、軸体４１からの突出量が略均一となるように、テーパコーン部４５ａの傾斜と、検査用ネジ１５のネジピッチとに合わせて、各接触子４２の形状が決定される。
接触子４２・４３・４４の一方の端部４２ｂ・４３ｂ・４４ｂは、テーパコーン部４５ａに接し、他方の端部４２ａ・４３ａ・４４ａはネジ穴５１の内周に接する。軸体４１より突出する接触子４２・４３・４４の一方の端部４２ａ・４３ａ・４４ａは、該軸体４１の周囲に、検査用ネジ１５のネジピッチに合わせて同一の蔓巻線Ｓ上に配置される。一方、押出体４５のテーパコーン部４５ａがテーパを有するために、押出体４５の軸芯から各接触子４２・４３・４４の他方の端部４２ｂ・４３ｂ・４４ｂまでの距離はそれぞれ異なる。
そこで、軸体４１からの接触子４２・４３・４４の突出量が略均一となるように、接触子４２・４３・４４の一方の端部４２ａ・４３ａ・４４ａから、他方の端部４２ｂ・４３ｂ・４４ｂまでの長さＨ１・Ｈ２・Ｈ３が、それぞれ決定される。
従って、接触子４２・４３・４４の一方の端部４２ａ・４３ａ・４４ａから、他方の端部４２ｂ・４３ｂ・４４ｂまでの長さＨ１・Ｈ２・Ｈ３は、検査用ネジ１５のネジピッチと、テーパコーン部４５ａのテーパ角度とによって、定まることとなる。
【００２９】
上述の構成の求心部１４が、被検査物５０のネジ穴５１に挿入されると、接触子４２・４３・４４が被検査物５０のネジ穴５１のネジフランク５１ｃにそれぞれ接する。すなわち、求心部１４において、検査用ネジ１５の外周とネジ穴５１の内周とが、検査用ネジ１５の外周を略均等に分配する３カ所で接し、求心部１４が軸体４１内周で突っ張った状態となる。これにより、求心部１４において、検査用ネジ１５がネジ穴５１に対して求心されるとともに、該検査用ネジ１５の軸と略直交方向への検査用ネジ１５の移動が制限される。
つまり、この求心機構により、例え、検査用ネジ１５のネジの外周とネジ穴５１の内周との間に幾分の間隙が存在したとしても、該検査用ネジ１５が被検査物５０のネジ穴５１に対して求心された状態で、検査用ネジ１５の軸と略直交方向への移動が制限される。従って、検査用ネジ１５の軸芯Ｏとネジ穴５１との軸芯Ｏ’のズレが抑止され、ガタつきが解消されるので、検査精度の低下の抑制に寄与することができる。
【００３０】
なお、上記構成の求心部１４では、接触子４２・４３・４４を軸体４１の外周に３カ所において設け、検査用ネジ１５とネジ穴５１の内周とが、３カ所で接している。
但し、接触子の数は、３つに限定されるものではなく、３つ以上とすることができる。この場合も、軸体４１より突出する接触子が、検査用ネジ１５の外周を略均等に分配するように、各接触子を配置することが、検査用ネジ１５が被検査物５０のネジ穴５１に対して求心させるために、望ましい。
【００３１】
なお、図１に示すように、前記検査用ネジ１５の、先端から求心部１４の最も後端の接触子４４までの軸方向長さＬ１は、ネジ穴５１の深さＬ３よりも短い。
また、全周ネジ部１３の軸方向長さＬ２は、検査作業時のネジゲージ１０の回転数を低減するために、適度に短いことが望ましい。本実施例においては、全周ネジ部１３のネジ山３１の条数を４としている。
【００３２】
続いて、上記ネジゲージ１０を用いた、ネジ穴５１の寸法精度の検査の流れについて説明する。
【００３３】
先ず、図７ａ・ｂに示すように、ネジゲージ１０を軸方向に移動させて、被検査物５０のネジ穴５１に、ネジゲージ１０を構成する検査用ネジ１５の先端側から、部分ネジ部１２全体を挿入する。
このとき、部分ネジ部１２は、ネジ穴５１の内径Ｄ２よりも小さい径の略円柱形状であるので、部分ネジ部１２はネジ穴５１に、回転させること無しにスムースに挿入できる。
【００３４】
続いて、図７ｃに示すように、ネジゲージ１０を軸と略直交方向に移動させて、検査用ネジ１５の部分ネジ部１２のネジ面２２と、ネジ穴５１の内周とを、螺接させる。つまり、ネジ面２２のネジ山２２ａとネジ穴５１のネジ谷５１ａとが接し、部分ネジ部１２のネジ面２２のネジ谷２２ｂとネジ穴５１のネジ山５１ｂとが接するように、ネジゲージ１０を移動させる。
【００３５】
そして、図７ｄに示すように、ネジゲージ１０を数回回転させて、検査用ネジ１５の全周ネジ部１３をネジ穴５１にねじ込む。さらに、ネジゲージ１０を数回回転させて、求心部１４の全ての接触子４２・４３・４４をネジ穴５１のネジフランク５１ｃに接触させる。この接触子４２・４３・４４等で構成される求心機構にて、求心部１４において、検査用ネジ１５とネジ穴５１とが求心されるとともに、検査用ネジ１５の軸と略直交方向の移動が規制される。
【００３６】
上述のように、検査用ネジ１５とネジ穴５１とが求心されるとともに、検査用ネジ１５の軸と略直交方向の移動が規制された状態で、さらに、ネジゲージ１０を１周以上回転させ、検査用ネジ１５の先端がネジ穴５１のネジ穴５１の奥部（ネジ加工端）に当接するまで、検査用ネジ１５をネジ穴５１にねじ込む。そして、検査用ネジ１５をネジ穴５１にねじ込むことが可能であるか否かによって、被検査物５０のネジ穴５１の寸法精度の良否の判定が行われる。
【００３７】
最後に、ネジゲージ１０を回転させて、ネジ穴５１から検査用ネジ１５を抜き取ることによって、被検査物５０のネジ穴５１の寸法精度の検査が終了する。
【００３８】
上述のように、ネジゲージ１０の検査用ネジ１５を被検査物５０のネジ穴５１に挿入してネジ穴５１の寸法精度を検査するに際して、求心機構により、検査用ネジ１５がネジ穴５１に対して求心された状態で、検査用ネジ１５の軸と略直交方向への移動が制限される。従って、検査用ネジ１５の軸芯Ｏとネジ穴５１の軸芯Ｏ’とのズレが抑止され、振れやガタつきが解消されるので、検査精度の低下の抑制に寄与することができる。
【実施例２】
【００３９】
次に、本発明の実施例２を説明する。
実施例２に係るネジゲージ１０は、上述の実施例１に記載のネジゲージ１０と、求心機構以外の構成は同一である。
よって、以下では、ネジゲージ１０に具備される検査用ネジ１５の求心部１４に設けられた求心機構について詳細に説明し、他の説明は省略する。
【００４０】
図８及び図９に示すように、ネジゲージ１０に具備される検査用ネジ１５の求心部１４は、全周ネジ部１３の後端側に連続する軸部６１と、該軸部６１に軸方向に移動可能に嵌装されたスライダ６３とで構成される。該スライダ６３は、引張発条６２により、検査用ネジ１５の先端側へ引っ張られている。これらの、軸部６１、引張発条６２、スライダ６３等により、求心機構が構成される。
【００４１】
前記スライダ６３の外周には、ネジ（雄ネジ）６４が形成される。このネジ６４は、全周ネジ部１３の外周に形成されたネジ３１と、略同一のピッチ、ネジ径、リード、ネジ山の角度等を有するものである。
また、前記スライダ６３の内周には、ガイド突起６３ｂが形成される。このガイド突起６３ｂは、前記軸部６１の外周面において軸方向と略平行に伸延するガイド溝６１ａに嵌入される。このガイド突起６３ｂとガイド溝６１ａとによりスライダ６３のスライド機構が形成され、スライダ６３は、軸部６１を軸方向に移動することができるが、軸部６１に相対して回転することはできない。
なお、軸部６１には、スライダ６３の後端が当接することにより、該スライダ６３の後端側への移動を規制する規制部６１ｂが設けられる。
【００４２】
上述の構成のネジゲージ１０において、ネジゲージ１０の検査用ネジ１５を被検査物５０のネジ穴５１に挿入して該ネジ穴５１の寸法精度を検査するに際して、検査用ネジ１５の部分ネジ部１２及び全周ネジ部１３が、ネジ穴５１に挿入された状態で、更にネジゲージ１０を回転させて検査用ネジ１５をネジ穴５１にねじ込むと、図１０に示すように、やがて、スライダ６３のネジ６４のネジフランク６４ｃが、ネジ穴５１のネジフランク５１ｃに当接する。
【００４３】
このとき、スライダ６３が後端側へ引っ張ら、引張発条６２が伸長する。この反力を受けて、ネジ穴５１のネジフランク５１ｃに、スライダ６３のネジ６４のネジフランク６４ｃが圧接される。
なお、引張発条６２が伸長することによって、スライダ６３のネジ６４のネジフランク６４ｃと、ネジ穴５１のネジフランク５１ｃとの位置調整が為される。
【００４４】
ネジ穴５１のネジフランク５１ｃと、該ネジフランク５１ｃに圧接されているスライダ６３のネジ６４のネジフランク６４ｃとは、何れも軸芯Ｏ’・Ｏへ向かって先端側へ下る傾斜を有する。このため、スライダ６３は、ネジ穴５１に対して求心される。
また、これらのネジフランク５１ｃ・６４ｃは圧接されているために、このようにスライダ６３はネジ穴５１に対して求心された状態で、軸と略直交方向への移動が制限される。
【００４５】
上述のように、求心部１４にて、検査用ネジ１５とネジ穴５１とが求心されるとともに、検査用ネジ１５の軸と略直交方向の移動が規制された状態で、さらに、ネジゲージ１０を１周以上回転させ、検査用ネジ１５の先端がネジ穴５１のネジ穴５１の奥部（ネジ加工端）に当接するまで、検査用ネジ１５がネジ穴５１にねじ込まれる。
このとき、検査用ネジ１５は、上記求心機構により、検査用ネジ１５の軸芯Ｏとネジ穴５１との軸芯Ｏ’のズレが抑止され、振れやガタつきが解消された状態で、ねじ込まれる。
また、軸部６１に対してスライダ６３は回転することができないので、スライダ６３もネジ穴５１にねじ込まれることとなる。
【００４６】
そして、検査用ネジ１５をネジ穴５１にねじ込むことが可能であるか否かによって、被検査物５０のネジ穴５１の寸法精度の良否の判定が行われる。
最後に、ネジゲージ１０を回転させて、ネジ穴５１から検査用ネジ１５を抜き取ることによって、被検査物５０のネジ穴５１の寸法精度の検査が終了する。
【図面の簡単な説明】
【００４７】
【図１】本発明の実施例１に係るネジゲージの全体的な構成を示した図。
【図２】図１における検査用ネジのＹ方向矢視図。
【図３】求心機構を説明する求心部の断面図。
【図４】接触子の位置関係を示す図３におけるＷ方向矢視図。
【図５】接触子の形状を説明する図。
【図６】求心機能を果たしている求心部の断面図。
【図７】ネジゲージを用いた検査の流れを説明する図。
【図８】本発明の実施例２に係るネジゲージの全体的な構成を示した図。
【図９】求心部の拡大図。
【図１０】求心機能を果たしている求心部の拡大図。
【符号の説明】
【００４８】
１０  ネジゲージ
１１  グリップ
１２  部分ネジ部
１３  全周ネジ部
１４  求心部
１５  検査用ネジ
４２・４３・４４  接触子
４５  押出体
【図１】
2007240204.tif 000003
【図２】
2007240204.tif 000004
【図３】
2007240204.tif 000005
【図４】
2007240204.tif 000006
【図５】
2007240204.tif 000007
【図６】
2007240204.tif 000008
【図７】
2007240204.tif 000009
【図８】
2007240204.tif 000010
【図９】
2007240204.tif 000011
【図１０】
2007240204.tif 000012